(57)【要約】【課題】モータの使用台数を少なくすることにより、イニシャルコスト及びランニングコストの低減を図り、省エネルギー化が可能なチェーン式汚泥掻寄機を提供すること。【解決手段】上流側メインコレクターＣａ及び下流側メインコレクターＣｂ並びにクロスコレクターＣｃを、１台のモータＭで駆動するようにする。【選択図】図１
2005279514.tif 000002
【特許請求の範囲】
【請求項１】
上流側メインコレクター及び下流側メインコレクター並びにクロスコレクターを、１台のモータで駆動するようにしたことを特徴とするチェーン式汚泥掻寄機。
【請求項２】
上流側メインコレクター及び下流側メインコレクター並びにクロスコレクターに、過負荷検出手段及びクラッチを設けたことを特徴とする請求項１記載のチェーン式汚泥掻寄機。
【発明の詳細な説明】
【技術分野】
【０００１】
本発明は、チェーン式汚泥掻寄機に関し、特に、モータの使用台数を少なくすることにより、イニシャルコスト及びランニングコストの低減を図り、省エネルギー化が可能となるチェーン式汚泥掻寄機に関するものである。
【背景技術】
【０００２】
従来、下水処理場等においては、沈殿池に導入した汚水等に含まれる汚泥を沈降させ、上澄水を処理して河川等に放流等するようにしている。
【０００３】
ところで、沈殿池には、沈殿池の池底に沈殿した汚泥を、ピットに向けて掻き寄せるために、汚泥掻寄機が設置されている。
この汚泥掻寄機は、図４〜図５に示すように、上流側メインコレクターＣａ及び下流側メインコレクターＣｂ並びにクロスコレクターＣｃで構成され、それぞれ、水中にエンドレス状で、所定の間隔でスクレーパＳを配設した、チェンＣｈを張架し、このチェンＣｈを循環駆動して、往路側の池底に摺接する位置にあるスクレーパＳによって、池底に沈殿した汚泥を、上流側メインコレクターＣａ及び下流側メインコレクターＣｂにより、集積溝Ｇに掻き寄せた後、クロスコレクターＣｃより、ピットＰに掻き寄せるようにしている。
【０００４】
そして、従来の汚泥掻寄機においては、上流側メインコレクターＣａ及び下流側メインコレクターＣｂ並びにクロスコレクターＣｃを駆動するために、それぞれ個別にモータＭａ、Ｍｂ、Ｍｃを配設するようにしていた。
【発明の開示】
【発明が解決しようとする課題】
【０００５】
ところで、上流側メインコレクターＣａ及び下流側メインコレクターＣｂ並びにクロスコレクターＣｃを駆動するモータＭａ、Ｍｂ、Ｍｃは、通常、同時に駆動されるものであるため、これらのモータＭａ、Ｍｂ、Ｍｃを共用化することにより、イニシャルコスト及びランニングコストを低減することが可能となる。
本発明は、上記知見に基づき、モータの使用台数を少なくすることにより、イニシャルコスト及びランニングコストの低減を図り、省エネルギー化が可能なチェーン式汚泥掻寄機を提供することを目的とする。
【課題を解決するための手段】
【０００６】
上記目的を達成するため、本発明のチェーン式汚泥掻寄機は、上流側メインコレクター及び下流側メインコレクター並びにクロスコレクターを、１台のモータで駆動するようにしたことを特徴とする。
【０００７】
この場合において、上流側メインコレクター及び下流側メインコレクター並びにクロスコレクターに、過負荷検出手段及びクラッチを設けることができる。
【発明の効果】
【０００８】
本発明のチェーン式汚泥掻寄機によれば、上流側メインコレクター及び下流側メインコレクター並びにクロスコレクターを、１台のモータで駆動するようにしているので、イニシャルコスト及びランニングコストの低減を図り、省エネルギー化が可能となる。
【０００９】
また、上流側メインコレクター及び下流側メインコレクター並びにクロスコレクターに、過負荷検出手段及びクラッチを設けることにより、過負荷検出手段が過負荷を検出したときに、例えば、警報を発するとともに、過負荷を検出したコレクターが接続されたクラッチを解放することによって、過負荷を検出したコレクターを停止させ、過負荷による機器の破損を防止することができる。
【発明を実施するための最良の形態】
【００１０】
以下、本発明のチェーン式汚泥掻寄機の実施の形態を、図面に基づいて説明する。
【実施例１】
【００１１】
図１〜図３に、本発明のチェーン式汚泥掻寄機の一実施例を示す。
このチェーン式汚泥掻寄機は、沈殿池１ａ、１ｂの池底１１ａ、１１ｂに沈殿した汚泥を、ピットＰに向けて掻き寄せるために設置されたもので、図１〜図２に示すように、上流側メインコレクターＣａ及び下流側メインコレクターＣｂ並びにクロスコレクターＣｃで構成され、それぞれ、水中にエンドレス状で、所定の間隔でスクレーパＳを配設した、チェンＣｈを張架し、このチェンＣｈを循環駆動して、往路側の池底に摺接する位置にあるスクレーパＳによって、池底に沈殿した汚泥を、上流側メインコレクターＣａ及び下流側メインコレクターＣｂにより、集積溝Ｇに掻き寄せた後、クロスコレクターＣｃより、ピットＰに掻き寄せるようにしている。
【００１２】
そして、この汚泥掻寄機は、上流側メインコレクターＣａ及び下流側メインコレクターＣｂ並びにクロスコレクターＣｃを駆動するために、共通の１台のモータＭを配設するようにしている。
【００１３】
そして、より具体的には、図３に示すように、共通の１台のモータＭの回転駆動力を、減速機２及びベベルギヤボックス３を介して、駆動軸４を３方向に分岐し、さらに、クラッチ５ａ、５ｂ、５ｃ及び減速機付ベベルギヤボックス６ａ、６ｂ、６ｃを介して、上流側メインコレクターＣａ及び下流側メインコレクターＣｂ並びにクロスコレクターＣｃに伝達するようにする。
【００１４】
回転駆動力の伝達経路には、過負荷検出手段（図示省略）を設け、これにより、過負荷検出手段が過負荷を検出したときに、例えば、警報を発するとともに、過負荷を検出したコレクターＣａ、Ｃｂ、Ｃｃが接続されたクラッチ５ａ、５ｂ、５ｃを選択的に解放することによって、過負荷を検出したコレクターＣａ、Ｃｂ、Ｃｃを停止させ、過負荷による機器の破損を防止するようにする。
【００１５】
本実施例のチェーン式汚泥掻寄機は、上流側メインコレクターＣａ及び下流側メインコレクターＣｂ並びにクロスコレクターＣｃを、１台のモータＭで駆動するようにしているので、イニシャルコスト及びランニングコストの低減を図り、省エネルギー化が可能となる。
【００１６】
以上、本発明のチェーン式汚泥掻寄機について、その実施例に基づいて説明したが、本発明は上記実施例に記載した構成に限定されるものではなく、例えば、隣接する沈殿池間でモータの共用化を図るようにする等、その趣旨を逸脱しない範囲において適宜その構成を変更することができるものである。
【産業上の利用可能性】
【００１７】
以上、本発明のチェーン式汚泥掻寄機は、モータの使用台数を少なくすることにより、イニシャルコスト及びランニングコストの低減を図り、省エネルギー化が可能であることから、下水処理場の沈殿池のほか、浄水場等の同様の設備に好適に用いることができる。
【図面の簡単な説明】
【００１８】
【図１】本発明のチェーン式汚泥掻寄機の一実施例を示す平面図である。
【図２】同（ａ）は図１のＡ−Ａ線断面図、（ｂ）は図１のＢ−Ｂ線断面図、（ｃ）は図１のＣ−Ｃ線断面図である。
【図３】同チェーン式汚泥掻寄機の回転駆動力の伝達経路を示す説明図である。
【図４】従来のチェーン式汚泥掻寄機を示す平面図である。
【図５】同（ａ）は図４のＡ−Ａ線断面図、（ｂ）は図４のＢ−Ｂ線断面図、（ｃ）は図４のＣ−Ｃ線断面図である。
【符号の説明】
【００１９】
Ｃａ  上流側メインコレクター
Ｃｂ  下流側メインコレクター
Ｃｃ  クロスコレクター
Ｐ    ピット
Ｇ    集積溝
Ｍ    モータ
Ｃｈ  チェン
Ｓ    スクレーパ
１ａ  沈殿池
１ｂ  沈殿池
１１ａ  池底
１１ｂ  池底
２    減速機
３    ベベルギヤボックス
４    駆動軸
５ａ  クラッチ
５ｂ  クラッチ
５ｃ  クラッチ
６ａ  減速機付ベベルギヤボックス
６ｂ  減速機付ベベルギヤボックス
６ｃ  減速機付ベベルギヤボックス
【図１】
2005279514.tif 000003
【図２】
2005279514.tif 000004
【図３】
2005279514.tif 000005
【図４】
2005279514.tif 000006
【図５】
2005279514.tif 000007